(57)【要約】【課題】  露光ランプ休止期間の終了タイミングおよび露光ランプ点灯パルス発生タイミングを切り換えることにより、主走査方向の露光ランプ点灯パルス発生タイミングをランダム（不規則）に制御する画像読取装置を提供する。  【解決手段】  原稿を露光ランプ２で照射してその反射光を光電変換素子４０で受光することによって、原稿画像に対する電気信号をライン単位で読み取る画像読取装置において、各ラインの読み取り開始タイミングを規定するライン同期信号６３にインバータ装置５７の発振回路を同期制御させて前記露光ランプ２を点灯させる同期点灯において露光ランプ休止期間の終了タイミングおよび露光ランプ点灯パルス発生タイミングを切り換える。【選択図】        図２
2006013728.tif 000002
【特許請求の範囲】
【請求項１】
原稿に露光ランプを照射して、その反射光を光電変換素子で受光することによって、原稿画像に対する電気信号をライン単位で読み取る画像読取装置において、露光ランプの点灯制御手段と、前記点灯制御手段に制御信号を供給して前記露光ランプ点灯周期を制御する周期制御手段と、を備え、前記点灯制御手段は、前記周期制御手段から制御信号として供給される各ラインの読み取り開始タイミングを規定するライン同期信号に同期させて前記露光ランプの点灯制御を行うようにしたことを特徴とする画像読取装置。
【請求項２】
前記周期制御手段は、主走査方向の露光ランプの点灯パルス発生タイミングがランダムとなるように、前記露光ランプの休止期間の終了タイミングを制御するゲート信号をランダムに制御して、前記点灯制御手段に供給することを特徴とする請求項１記載の画像読取装置。
【請求項３】
前記周期制御手段は、主走査方向の露光ランプの点灯パルス発生タイミングがランダムとなるように、前記露光ランプの点灯パルス発生タイミングを制御するクロック信号をランダムに制御して、前記点灯制御手段に供給することを特徴とする請求項１記載の画像読取装置。
【発明の詳細な説明】
【技術分野】
【０００１】
本発明は、原稿を露光ランプで照射してその反射光を光電変換素子で受光する光学制御を有するイメージスキャナ、ＰＰＣ、ファクシミリ等の画像読取装置に関するものである。
【背景技術】
【０００２】
従来の画像読取装置において各ラインの読み取り周期と光量制御周期（ランプ点灯周期）が非同期であることは知られている（例えば、特許文献１および２参照）。
特許文献１に開示された画像読取装置においては、ランプに給電する給電装置に設けられているインバータの発振器を周波数可変発振器とし、この周波数可変発振器からの発振信号を外部同期信号に位相ロックするように周波数可変発振器を制御することによって、光量変動を伴うことなく誘電体バリア放電蛍光ランプを外部同期信号に同期させて発光させている。
また、特許文献２に開示された放電灯点灯装置においては、複数の放電灯に対し相互に位相をずらした、また、位相のずれが等しい間隔となるように複数の放電灯に対する電圧を発生させている。
【特許文献１】特開２０００−３２３２９２公報
【特許文献２】特開２００１−２７３９９６公報
【発明の開示】
【発明が解決しようとする課題】
【０００３】
ところで、従来の画像読取装置において各ラインの読み取り周期と光量制御周期（露光ランプ点灯周期）が非同期であるために、１ライン周期に対して露光ランプ点灯周期が十分に小さくない場合には、１ライン周期の中に入る露光ランプ点灯パルス数がライン毎にバラつき、そのバラツキによりライン毎の積算光量に差が発生し副走査方向に読み取り画像の色むらが発生していた。
そこで、特許文献１においては、露光ランプに給電する給電装置のインバータの発振器を周波数可変発振器とし、該周波数可変発振器からの発振信号を外部同期信号に位相ロックするように周波数可変発振器を制御することにより、光量変動を伴うことなく誘電体バリア放電蛍光ランプを外部同期信号に同期させて発光させている。
しかしながら、周波数を可変させ同期させて発光させる方法は、ランプ点灯周波数が可変するのでランプの最適な点灯条件（点灯周波数）から外れる可能性があり回路構成も複雑になるという欠点があった。
そこで、本発明は上記したような点を鑑みてなされたものであり、簡単な回路構成で色むらの発生を抑制することができる画像読取装置を提供する。
【課題を解決するための手段】
【０００４】
上記の課題を解決するために、請求項１に記載の発明は、原稿に露光ランプを照射して、その反射光を光電変換素子で受光することによって、原稿画像に対する電気信号をライン単位で読み取る画像読取装置において、露光ランプの点灯制御手段と、前記点灯制御手段に制御信号を供給して前記露光ランプ点灯周期を制御する周期制御手段と、を備え、前記点灯制御手段は、前記周期制御手段から制御信号として供給される各ラインの読み取り開始タイミングを規定するライン同期信号に同期させて前記露光ランプの点灯制御を行うようにしたことを特徴とする。
また請求項２に記載の発明は、前記周期制御手段は、主走査方向の露光ランプの点灯パルス発生タイミングがランダムとなるように、前記露光ランプの休止期間の終了タイミングを制御するゲート信号をランダムに制御して、前記点灯制御手段に供給することを特徴とする。
また請求項３に記載の発明は、前記周期制御手段は、主走査方向の露光ランプの点灯パルス発生タイミングがランダムとなるように、前記露光ランプの点灯パルス発生タイミングを制御するクロック信号をランダムに制御して、前記点灯制御手段に供給することを特徴とする。
【発明の効果】
【０００５】
本発明によれば、前記点灯制御手段は、前記周期制御手段から制御信号として供給される各ラインの読み取り開始タイミングを規定するライン同期信号に同期させて前記露光ランプの点灯制御を行うことで、従来、発生していた副走査方向の色むらを簡単な回路構成で抑制することできる。
また、主走査方向の露光ランプの点灯パルス発生タイミングがランダムとなるように、前記露光ランプの休止期間の終了タイミングを制御するゲート信号または、露光ランプの点灯パルス発生タイミングを制御するクロック信号をランダムに制御することで、ランプ点灯ノイズによる副走査方向の縦白筋を軽減することができる。
【発明を実施するための最良の形態】
【０００６】
以下、図面を参照して、本発明の実施の形態を詳細に説明する。
図１は本発明の実施の形態に係るカラー画像読取装置の全体構成を示す概略図であり、この図を用いてスキャナ本体に関しての構成の説明を行う。
原稿台ガラス８上に置かれた原稿は、第１ミラー３と照明ランプ２により照射される。第１ミラー３と照明ランプ２は第１キャリッジ３１に搭載されており、原稿台下部を移動しながら走査を行う。
原稿からの反射光は第１ミラー３および第２キャリッジ３２上の第２ミラー５、第３ミラー４で走査され、レンズ１により集束され、ＣＣＤが搭載されたＳＢＵ１０に照射されることにより電気信号に光電変換される。
第１ミラー３、照明ランプ（露光ランプ）２および第２ミラー５、第３ミラー４をそれぞれ搭載する第１および２キャリッジ３１および３２は、走行体モータ９を駆動源として、キャリッジホーム位置から最大走査領域方向（図の左右方向）に移動可能となっている。
次に、ＡＲＤＦ（自動両面原稿搬送装置）部に関しての構成の説明を行う。原稿台１７の原稿ガイド１２に沿って積載された原稿は、片面原稿読み取りを選択した場合には呼び出しコロ１４、給紙ベルト１６により搬送コロ１５、分離コロ１７、第１搬送ローラ１８により搬送される。
第１搬送ローラ１８により搬送された原稿はＤＦ用原稿ガラス６と反射ガイド板２０との間の読み取り位置を経て、第２搬送ローラ２１および排紙ローラ２３へ送り込まれ、原稿が排出される。ＤＦ用原稿ガラス６前にはレジストセンサ１９が配置されており、読み取り部への原稿の進入（先端）や後端部のタイミングを検知できる。
一方、両面原稿読み取りを選択した場合には、まず原稿の表面の読み取りを上記片面原稿読み取り選択の場合と同様に実施する。原稿の表面の読み取りに関して説明を行う。
原稿は呼び出しコロ１４、給紙ベルト１６により搬送コロ１５、分離コロ１７、第１搬送ローラ１８によりＤＦ用原稿ガラス６と反射ガイド板２０との間の読み取り位置を経て、第２搬送ローラ２１および排紙ローラ２３へ送り込まれる。
このとき原稿を排出せずに、分岐爪２４が下方へ切り換えられて反転ローラ２５により反転テーブル２６上へ移送される。原稿の後端が排紙ローラ２３を抜けた後に分岐爪２４が上方へ切り換えられて、いったん、反転ローラ２５が停止する。
【０００７】
次に原稿の裏面の読み取りに関して説明を行う。原稿の裏面の読み取りを実施するためには、一旦、停止していた反転ローラ２５を上記とは逆方向へ回転させることにより原稿が反転テーブル２６から第１搬送ローラ１８の方向へ搬送される。
さらに第１搬送ローラ１８を経て表面と同様にＤＦ用原稿ガラス６と反射ガイド板２０との間の読み取り位置を経て、第２搬送ローラ２１および排紙ローラ２３へ送り込まれ、その後、原稿が排出される。
原稿は、表面および裏面の読み取りともにＤＦ用原稿ガラス６と反射ガイド板２０との間の読み取り位置を通過するさいに、読み取り位置の近傍に停止されている照明ランプ２により照射される。
その反射光は、第１ミラー３および一体に構成された第２ミラー５、第３ミラー４で走査される。以下原稿台からの場合と同様に光電変換される。ＡＲＤＦの呼び出しコロ１４、給紙ベルト１６、搬送コロ１５、分離コロ１７の給紙機  構は給紙モータ（図示せず）により駆動されている。
また、第１搬送ローラ１８、第２搬送ローラ２１、排紙ローラ２３、反転ローラ２５の搬送機構は搬送モータ（図示せず）により駆動されている。
さらに、ＡＲＤＦには原稿を検知するために原稿台１７へ原稿がセットされているか否かを検知するセットセンサ１３、原稿サイズを検知するための幅サイズ検知基板２８、第１原稿長さセンサ２９と第２原稿長さセンサ３０、原稿の後端を検知するための原稿後端センサ２７が搭載されている。
スキャナ本体にはスキャナ本体およびＡＲＤＦを含めたカラー画像読取装置の動作制御を行うＳＣＵ７が搭載されている。
【０００８】
図２は本発明の実施の形態に係る画像読取装置の全体ブロック図である。また図３は、図２に示した画像読取装置のＳＢＵ、ＶＩＯＢおよびＳＣＵ等の制御ブロックの内部構成を示したブロック図である。以下、これらの図面を参照して図２、図３で制御ブロックの
構成を説明する。
図２、図３に示すＳＢＵ１０のＣＣＤ４０（図３）に入光した原稿の反射光は、ＣＣＤ４０内で光の強度に応じた電圧値を有するアナログ信号に変換され、奇数ビットと偶数ビットに分かれて出力される。
上記ＳＢＵ１０から出力されるアナログ画像信号はＶＩＯＢ３３において図３に示すようなアナログ処理回路４１によって暗電位部分が取り除かれ、奇数ビットと偶数ビットが合成され、所定の振幅にゲイン調整された後にＡ／Ｄコンバータ４２に入力されデジタル信号化される。
デジタル化された画像信号は、シェーディング部４３によりシェーディング補正され、ＶＩＯＢ３３からＳＣＵ７に供給され、ＳＣＵ内のＩＰＵ４４で、ガンマ補正、ＭＴＦ補正等の画像処理が行なわれた後、同期信号画像クロックとともにビデオ信号として、画像データ記憶手段（ＳＤＲＡＭ）４６を管理するメモリコントローラ４５に入力され、ＳＤＲＡＭ４６で構成される画像メモリに蓄えられる。
【０００９】
画像メモリに蓄えられた画像データは、外部Ｉ／Ｆドライバ４７に送られ、パソコンやプリンタ等の外部出力装置５５へ転送される。本実施の形態の外部Ｉ／Ｆドライバ４７はＳＣＳＩ、ＩＥＥＥ１３９４、ＬＡＮなどドライバやローカルビデオ信号などを総称して記載している。
ＳＣＵ７上には、ＣＰＵ４８、ＲＯＭ４９、ＲＡＭ５０、モータドライバコントローラ５２が設けられており、ＣＰＵ４８はスキャナ本体のステッピングモータである走行体（スキャナ）モータ９、ＡＲＤＦの給紙モータ（図示せず）、搬送モータ（図示せず）のタイミング制御も行なっている。ＣＰＵ４８は安定器３９を介して露光ランプ２の制御を行っている。
図２に示すＡＤＵ３７は、ＡＲＤＦ部に用いる電装部品の電力供給を中継する機能を有している。ＳＣＵ７に設けられているＣＰＵ４８（図３参照）に接続されている入力ポートは、ＶＩＯＢ３３を介して、本体操作パネル（ＳＯＰ）３８に接続されている。この本体操作パネル（ＳＯＰ）３８にはスタートスイッチ（図示せず）と停止スイッチ（図示せず）が設けられており、それぞれのスイッチが押下されると入力ポートを介してＣＰＵ４８はスイッチがオンされたことを検出する。
【００１０】
図４は、本実施の形態に係るランプ制御部回路の構成を示すブロック図である。この図４に示すランプ制御回路は、主走査方向のランプ点灯パルス発生タイミングをランダム（不規則）に制御するように構成されている。
同期点灯の場合には、制御信号として各ラインの読み取り開始タイミングを規定するライン同期信号（ＴＧ−ＩＮＶ）６１、クロック信号（ＣＬＫ）６２、コントロール信号（ＣＮＴ）６３およびゲート信号（ＧＡＴＥ）６４を入力すると、点灯制御手段を構成する点灯制御部６０が動作して、同じく点灯制御手段を構成するインバータ装置５７を制御する。なお、これらの制御信号は、図３に示した周期制御手段として機能するＣＰＵ４８から供給される。
インバータ装置５７の出力は、昇圧トランス５８を経由して露光ランプ２に印加される。なお、ＣＮＴ６３は露光ランプ２のオン／オフ制御信号、ＧＡＴＥ信号６４は露光ランプ休止期間の制御信号である。
各ラインの読み取り開始タイミングを規定するライン同期信号６１にインバータ装置５７の発振回路を同期制御させて露光ランプ２を同期点灯させる。露光ランプ休止期間の終了タイミングおよび露光ランプ点灯パルス発生タイミングを切り換えることにより、主走査方向の露光ランプ点灯パルス発生タイミングをランダム（不規則）に制御するようにしている。
【００１１】
図５は、本実施の形態に係るインバータ装置と点灯制御部の内部構成の一例を示す回路図である。
図５に示すように、露光ランプ２のオン／オフを制御するコントロール信号（ＣＮＴ）６３がロー（Ｌｏｗ）レベルのとき、トランジスタＴＲ１がオンし、インバータ制御用ＩＣのＩＣ１に電力が供給される。ＩＣ１は、スイッチング素子ＦＥＴ１を駆動するためのドライバを内蔵しており、クロック信号（ＣＬＫ）６２に応じて所定の周期で発振し、発振パルスにより内蔵ドライバを駆動する。この内蔵ドライバの出力によりスイッチング素子ＦＥＴ１が駆動される。
駆動信号によりスイッチング素子ＦＥＴ１がオンになると、定電圧電源５６→昇圧トランス５８の一次側巻線→スイッチング素子ＦＥＴ１の経路で電流が流れ、昇圧トランス５８にエネルギが蓄えられる。
次に、スイッチング素子ＦＥＴ１がオフになると、昇圧トランス５８に流れていた電流が遮断され、蓄えられていたエネルギが放出され、昇圧トランス５８の一次側および二次側に急峻な立ち上がりを有する電圧波形が発生する。
この電圧波形は時間とともに減衰し、次にスイッチング素子ＦＥＴ１がオンになった後オフになると前記と同様に再び急峻な立ち上がりを有する電圧波形が発生する。すなわち、スイッチング素子ＦＥＴ１をオン／オフする毎に再び急峻な立ち上がりを有する電圧波形が発生し、露光ランプ２に繰り返し電流が流れ、露光ランプ２が点灯し光が放出される。またインバータ制御ＩＣ１は、ＧＡＴＥ信号６４が入力される期間は出力を停止する。
【００１２】
図６は、ランプのオン／オフを制御するコントロール信号（ＣＮＴ）と、各ラインの読み取り開始タイミングを規定するライン同期信号（ＴＧ−ＩＮＶ）のタイミングチャートである。
この図６に示すように、ＩＣ１には、ＣＮＴ信号６３とは別に点灯周波数の位相同期をとる目的でＴＧ−ＩＮＶ信号６１を供給するようにしている。この場合、ＣＮＴ信号６３とＴＧ−ＩＮＶ信号６１は非同期とされる。なお、ＣＮＴ信号６３のオン、オフは任意の時間とする。
図７はライン同期信号（ＴＧ−ＩＮＶ）、ゲート信号（ＧＡＴＥ）およびクロック信号（ＣＬＫ）とインバータ装置５７の出力（光波形）のタイミンググチャート図である。
この図７に示す区間Ｔ１および区間Ｔ２は、休止期間で、必要原稿面照度に応じてこの休止期間を設けることにより、１ライン当りの点灯パルス数を任意の値に設定することができる。このように、本実施の形態では、ＴＧ−ＩＮＶ信号６１により、ラインに同期して露光ランプ２を点灯させることにより、１ライン周期の中に入る露光ランプ点灯パルス数がライン毎にバラツキを防止することで、ライン間の光量バラツキによる濃度ムラ（横筋）が発生するのを防止することができるようになる。またこの場合は、点灯制御部６０に対して、制御信号としてＴＧ−ＩＮＶ信号６１を入力するという簡単な回路構成で実現することができる。
ところで、これまで説明した本実施の形態においては、ラインに同期して露光ランプ２を点灯させることによりライン間の光量バラツキによる濃度ムラの発生を防止するようにした場合、同期点灯により常に主走査のある所定位置、例えば１００画素目の位置にノイズが発生することになる。
【００１３】
図８はライン同期におけるノイズの発生を説明する概略図である。上記のように１００画素目のノイズがライン毎に発生すると、副走査方向に、図８における○が連続する縦白筋（１００画素目）が発生する。
これは、例えば、キセノンランプは高電圧（約２ｋＶ）を印加することにより点灯するが、その高電圧により点灯ノイズが発生し、近接する他のプリント基板（例えば、ＣＣＤを搭載するＳＢＵ基板）にノイズを発生させることになる。
本実施の形態においては、ラインと同期させてランプを点灯させるようにしているため、常に主走査のある位置、例えば１００画素目にノイズが発生することになる。そして、この１００画素目のノイズが各ラインに発生すると、副走査方向に縦白筋（１００画素目）が発生することがある。
そこで、次に、白筋の発生を防止するための各制御信号の発生タイミングについて説明する。
図９は露光ランプの休止期間の終了タイミングがランダムとなるように制御する制御信号のタイミングを示すタイミングチャートである。
図７においては、ゲート信号（ＧＡＴＥ）６４により露光ランプ休止期間の終了タイミングを制御するようにしていた。これに対して、図９に示す例では、露光ランプ２の点灯周波数と必要原稿面照度に応じて初期状態の休止期間の開始および終了タイミングを制御するゲート信号（ＧＡＴＥ）６４を制御して、露光ランプ休止期間の終了タイミングをランダム（不規則）になるように制御するようにしている。なお、ゲート信号（ＧＡＴＥ）６４のランダム制御は図３に示したＣＰＵ４８において行うようにしている。
この図９に示す例では、初期状態のタイミングＴ２に対してＧＡＴＥ６４の立ち上がりタイミングを時間ｔだけ前後にシフトさせるようにしている。つまり、ＧＡＴＥ６４の立ち上がりタイミングを、時間Ｔ２、時間Ｔ２＋ｔ、時間Ｔ２−ｔのようにランダム（不規則）にタイミング制御する。これによって、主走方向の露光ランプの休止期間Ｔ１のタイミングがランダム（不規則）になり、露光ランプ点灯ノイズによる副走査方向の縦白筋を軽減することができる。なお、図９においては、一例としてゲート信号（ＧＡＴＥ）のタイミング制御をＴ２、Ｔ２＋ｔ、Ｔ２−ｔの３通りの場合を示したが、これはあくまでも一例であり、本発明としては任意の複数タイミングにより制御を行ってもよい。例えばＴ２、Ｔ２＋ｔ、Ｔ２＋２ｔ、Ｔ２−ｔ、Ｔ２−３ｔの５通りのタイミングで制御を行ってもよい。
【００１４】
図１０は露光ランプ点灯パルス発生タイミングをランダム（不規則）になるよう制御する制御信号のタイミングチャートである。
図７においては、ゲート信号（ＧＡＴＥ）６４により露光ランプ休止期間の終了タイミングを制御するようにしていた。これに対して、図１０に示す例では、クロック信号（ＣＬＫ）６２を制御してライン同期信号（ＴＧ−ＩＮＶ）６１に対してライン毎に露光ランプ点灯パルス発生タイミングをランダム（不規則）になるように制御するようにしている。なお、クロック信号（ＣＬＫ）６２のランダム制御は図３に示したＣＰＵ４８において行うようにしている。
この図１０に示す例では初期状態のタイミングＴ３に対して時間ｕタイミングを前後にシフトさせるようにしている。つまり、時間Ｔ３、時間Ｔ３＋ｕ、時間Ｔ３−ｕのようにクロック信号（ＣＬＫ）６２ランダム（不規則）にタイミング制御するようにしている。これにより、主走方向の露光ランプ点灯パルス発生タイミングがランダム（不規則）になり、露光ランプ点灯ノイズによる副走査方向の縦白筋を軽減することができる。なお、図１０においては、一例としてＣＬＫ６２のタイミング制御をＴ３、Ｔ３＋ｕ、Ｔ３−ｕの３通りの場合を示したが、これはあくまでも一例であり、本発明としては、例えばＴ３、Ｔ３＋ｕ、Ｔ３＋３ｕ、Ｔ３−２ｕ、Ｔ３−４ｕの５通りのタイミングにより制御を行ってもよい。
ただし、任意の複数タイミングにより制御を行う場合には、１ライン当りの露光点灯パルス数が各ラインにおいて一致するように制御する。図１０に示す例においてはＧＡＴＥ有効期間Ｔ４に点灯パルス数が１０パルスになるような前後のシフトタイミングでランダム（不規則）になるように、ＣＬＫ６２のタイミング制御を行っている。
【００１５】
図１１は露光ランプ点灯パルス発生タイミングをランダム（不規則）にした一例を示す概略図である。図１１のように、各ラインの露光ランプ点灯パルス発生位置をランダムにすることにより縦白筋を目立ちにくくしている。
さらに説明すれば、露光ランプ点灯パルス発生位置を１ラインでは１００画素目、２ラインでは１０３画素目、３ラインでは９８画素目、４ラインでは１０５画素目、５ラインでは１００画素目とすることにより、ノイズが一直線にならないので、縦白筋が目立ちにくくなる。なお、１ライン当りの点灯パルス数が各ラインにおいて一致しないと、点灯パルス数が多いラインは光量が多くなり画像濃度が明るくなり、点灯パルス数が少ないラインは光量が少なくなり画像濃度が暗くなる。この結果、同一画像濃度のエリアにおいて主走査方向に横白筋（または横黒筋）の画像不具合が発生するので、１ライン当りの点灯パルス数は、各ラインにおいて一致させる必要がある。
【図面の簡単な説明】
【００１６】
【図１】本発明の実施の形態に係るカラー画像読取装置の全体構成を示す概略図。
【図２】本実施の形態に係る画像読取装置の全体ブロック図。
【図３】本実施の形態に係る画像読取装置の制御ブロックの構成を示したブロック図。
【図４】本実施の形態に係るランプ制御部回路の構成を示すブロック図。
【図５】本実施の形態に係るインバータ装置と点灯制御部の内部構成の一例を示す回路図。
【図６】コントロール信号（ＣＮＴ）とライン同期信号（ＴＧ−ＩＮＶ）のタイミングチャート。
【図７】ライン同期信号（ＴＧ−ＩＮＶ）、ゲート信号（ＧＡＴＥ）およびクロック信号（ＣＬＫ）とインバータ装置５７の出力（光波形）のタイミングチャート。
【図８】ライン同期におけるノイズの発生を説明する概略図。
【図９】露光ランプ休止期間の終了タイミングをランダム（不規則）になるよう制御する制御信号のタイミングを示すタイミングチャート。
【図１０】露光ランプ点灯パルス発生タイミングをランダム（不規則）になるよう制御する制御信号のタイミングチャート。
【図１１】露光ランプ点灯パルス発生タイミングをランダム（不規則）にした一例を示す概略図。
【符号の説明】
【００１７】
２  露光ランプ、１０  ＳＢＵ、  ４０  光電変換素子（ＣＣＤ）、５６  定電圧電源、５７  インバータ装置、６０  点灯制御部、６１  ライン周期信号（ＴＧ−ＩＮＶ）
【図１】
2006013728.tif 000003
【図２】
2006013728.tif 000004
【図３】
2006013728.tif 000005
【図４】
2006013728.tif 000006
【図５】
2006013728.tif 000007
【図６】
2006013728.tif 000008
【図７】
2006013728.tif 000009
【図８】
2006013728.tif 000010
【図９】
2006013728.tif 000011
【図１０】
2006013728.tif 000012
【図１１】
2006013728.tif 000013